(57)【要約】【課題】寸法管理をそれほど高度に管理しなくても、大気弁通過後の大気の流動音を効果的に低減することのできる安価な負圧倍力装置を提供する。【解決手段】大気弁座１４が設けられる弁プランジャ１０のフランジ１０ａの外周縁部には、小さな円環状の突部１０ｂが形成される。この円環状の突部１０ｂは大気弁部１２ｄの円環状の凹部１２ｈに対向している。大気弁１６を通過した大気は円環状の突部１０ｂに当たる。これにより、大気の流動は、円環状の突部１０ｂにより抵抗を受けて若干乱されて、流速が少し低減する。このように大気の流速が低減されることで、大気弁１６を通過した大気が径方向の流れからバルブボディ４の軸方向の流れに変化する際に、流動音の発生が抑制される。【選択図】  図２
2009051228.tif 000002
【特許請求の範囲】
【請求項１】
入力が加えられる入力軸と、リヤシェルに対して進退自在に配設されたバルブボディと、このバルブボディに設けられて、フロントシェルと前記リヤシェルとの空間を負圧が導入される定圧室と作動時に大気が導入される変圧室とに区画するパワーピストンと、前記バルブボディに連結されて、前記パワーピストンにより発生されて前記入力を倍力した出力を前記バルブボディを介して出力する出力軸と、前記入力軸に連結されかつ前記バルブボディ内に摺動自在に配設された弁プランジャと、この弁プランジャの作動により前記定圧室と前記変圧室との間の連通または遮断を制御する真空弁と、前記変圧室と少なくとも大気との間を遮断または連通を制御する大気弁とを少なくとも備えている負圧倍力装置において、
前記大気弁は、環状の大気弁部が設けられる大気弁部材と、前記弁プランジャの後端の環状のフランジに設けられかつ前記大気弁部が着離座可能な環状の大気弁座とを有し、
前記フランジに、後方に突出する環状の突部が前記大気弁より大気流動方向下流側に位置して設けられていることを特徴とする負圧倍力装置。
【請求項２】
前記大気弁部材に、前方に突出する環状の外周突部が大気弁部より径方向外側に位置して形成されているとともに、前記大気弁部と前記外周突部との間に環状の凹部が形成されており、
前記前記フランジに、後方に突出する環状の突部が、前記大気弁部材に形成された環状の凹部に対向していることを特徴とする請求項１記載の負圧倍力装置。
【請求項３】
車両のブレーキシステムに用いられ、ブレーキペダルのペダル踏力を倍力して出力する負圧倍力装置からなるブレーキ倍力装置において、
前記負圧倍力装置は請求項１または２記載の記載の負圧倍力装置であることを特徴とするブレーキ倍力装置。
【発明の詳細な説明】
【技術分野】
【０００１】
本発明は、負圧によって入力を所定のサーボ比で倍力して大きな出力を発生する負圧倍力装置およびこれを用いたブレーキ倍力装置の技術分野に関し、特に、作動時に流入する大気によって発生する音を抑制することのできる負圧倍力装置およびブレーキ倍力装置の技術分野に関するものである。なお、本発明の特許請求の範囲および明細書の記載において、前後方向の関係は、負圧倍力装置の作動時に入力軸が移動する方向を「前」、作動解除時に入力軸が戻る方向を「後」とする。
【背景技術】
【０００２】
従来、乗用車等の自動車のブレーキシステムにおいては、ブレーキ倍力装置に負圧を利用した負圧倍力装置が用いられることが知られている（例えば、特許文献１参照）。この特許文献１に記載の負圧倍力装置を始め、従来の一般的な負圧倍力装置では、パワーピストンで通常時負圧が導入される定圧室と圧力が変わる変圧室とに区画されている。そして、ブレーキペダルの通常の踏み込みによる通常ブレーキ作動時に、入力軸の前進で制御弁が切り換わり、変圧室に大気が導入される。すると、変圧室と定圧室との間に圧力差が生じてパワーピストンが前進するので、負圧倍力装置が入力軸の入力（つまり、ペダル踏力）を所定のサーボ比で倍力して出力する。この負圧倍力装置の出力により、マスタシリンダがマスタシリンダ圧を発生し、このマスタシリンダ圧でホイールシリンダが作動して通常ブレーキが作動する。
【０００３】
ところで、負圧倍力装置の作動時に負圧倍力装置のバルブボディ内を通って変圧室に大気が流入する。その場合、大気の流動時に流動音が発生することがある。特に、負圧倍力装置の作動時に大気がほぼ瞬間的に急速に流入するため、流動音が大きい。このように流動音が発生すると、負圧倍力装置をブレーキ倍力装置として用いた場合、作動時に負圧倍力装置内に流入する大気は自動車の車室内の空気であるため、この流動音は車室内に伝達される。
一方、近年の自動車の静粛化および快適性の要求に対応するため、車室内の騒音を可能な限り防止することがますます強く求められている。
【０００４】
そこで、このような大気の流動音を種々検討すると、大気の流動音が発生する要因の１つに、大気弁を通過した大気が径方向の流れからバルブボディの軸方向の流れに変化することが挙げられる。
この大気弁を通過した大気の流動音に対して、特許文献１に記載の負圧倍力装置では、弁プランジャの後端に設けられかつ大気弁座を有するたフランジの外周面を複数本の円周方向の環状溝からなる凹凸面に形成することで、大気弁を通過した大気の流動音を低減している。
【特許文献１】特開平７−２３７５４０号公報。
【発明の開示】
【発明が解決しようとする課題】
【０００５】
しかしながら、このような弁プランジャのフランジの外周の凹凸面により、消音効果を確実に得るためには、凹凸面を形成する環状溝の寸法管理（形状管理）を高度に行う必要がある。このため、負圧倍力装置のコストが高くなり、生産効率が低下するという問題がある。
【０００６】
本発明はこのような事情に鑑みてなされたものであって、その目的は、寸法管理をそれほど高度に管理しなくても、大気弁通過後の大気の流動音を効果的に低減することのできる安価な負圧倍力装置これを用いたブレーキ倍力装置を提供することである。
【課題を解決するための手段】
【０００７】
前述の課題を解決するために、請求項１に係る発明の負圧倍力装置は、入力が加えられる入力軸と、リヤシェルに対して進退自在に配設されたバルブボディと、このバルブボディに設けられて、フロントシェルと前記リヤシェルとの空間を負圧が導入される定圧室と作動時に大気が導入される変圧室とに区画するパワーピストンと、前記バルブボディに連結されて、前記パワーピストンにより発生されて前記入力を倍力した出力を前記バルブボディを介して出力する出力軸と、前記入力軸に連結されかつ前記バルブボディ内に摺動自在に配設された弁プランジャと、この弁プランジャの作動により前記定圧室と前記変圧室との間の連通または遮断を制御する真空弁と、前記変圧室と少なくとも大気との間を遮断または連通を制御する大気弁とを少なくとも備えている負圧倍力装置において、前記大気弁が、環状の大気弁部が設けられる大気弁部材と、前記弁プランジャの後端の環状のフランジに設けられかつ前記大気弁部が着離座可能な環状の大気弁座とを有し、前記フランジに、後方に突出する環状の突部が前記大気弁より大気流動方向下流側に位置して設けられていることを特徴としている。
【０００８】
また、請求項２に係る発明の負圧倍力装置によれば、前記大気弁部材に、前方に突出する環状の外周突部が大気弁部より径方向外側に位置して形成されているとともに、前記大気弁部と前記外周突部との間に環状の凹部が形成されており、前記前記フランジに、後方に突出する環状の突部が、前記大気弁部材に形成された環状の凹部に対向していることを特徴としている。
【０００９】
更に、請求項３に係る発明に係る発明のブレーキ倍力装置は、車両のブレーキシステムに用いられ、ブレーキペダルのペダル踏力を倍力して出力する負圧倍力装置からなるブレーキ倍力装置において、前記負圧倍力装置が請求項１または２記載の記載の負圧倍力装置であることを特徴としている。
【発明の効果】
【００１０】
このように構成された本発明に係る負圧倍力装置によれば、大気弁を通過した大気の流動を弁プランジャの突部によって若干乱すことで、その流速を若干減速するようにしているので、大気の流動音の発生を抑制することができる。その場合、環状の突部の高さがきわめて小さく設定することで、大気の流動が若干減速しても、実用に供し得る応答性を維持することができる。
【００１１】
特に、大気の流動を弁プランジャの突部に対向する大気弁部材の凹部によって案内することで、良好な応答性を維持することができる。
その場合、環状の突部はそれほど高精度に設ける必要はなく、高度の寸法管理を不要にできる。したがって、生産性を向上できるとともに、負圧倍力装置１を安価に製造することができる。
【００１２】
一方、本発明のブレーキ倍力装置によれば、大気の流動音の発生をより効果的に防止することができる負圧倍力装置を用いているので、自動車の車室内をより静粛にでき、車室内での乗員の快適性を向上することができる。
【発明を実施するための最良の形態】
【００１３】
以下、図面を用いて、本発明を実施するための最良の形態について説明する。
図１は本発明に係る負圧倍力装置の実施の形態の一例を非作動状態で示す部分断面図、図２は図１の部分拡大断面図である。なお、以下の実施の形態の例の説明においては、本発明の負圧倍力装置をブレーキ倍力装置に適用するものとして説明する。
【００１４】
まず、この例の負圧倍力装置において、特許文献１に記載の従来の負圧倍力装置と同じ構成部分について簡単に説明する。
図１および図２において、１は負圧倍力装置、２はフロントシェル、３はリヤシェル、４はバルブボディ、５はバルブボディ４に取り付けられたパワーピストン部材６とバルブボディ４および両シェル２,３間に設けられたダイヤフラム７とからなるパワーピストン、８は両シェル２,３内の空間をパワーピストン５で区画された２つの室の一方で、通常時負圧が導入される定圧室、９は前述の２つの室の他方で、負圧倍力装置１の作動時大気圧が導入される変圧室、１０は弁プランジャ、１１は図示しないブレーキペダル等の作動部材に連結され、かつ弁プランジャ１０を作動制御する入力軸、１２はバルブボディ４に設けられ、かつ円環状の大気弁部１２ａと円環状の真空弁部１２ｂとを有する弁体、１３は真空弁部１２ｂが軸方向に着離座可能な円環状の真空弁座、１４は弁プランジャ１０に形成されかつ大気弁部１２ａが軸方向に着離座可能な円環状の大気弁座、１５は真空弁部１２ｂと真空弁座１３とにより構成される真空弁、１６は大気弁部１２ａと大気弁座１４とにより構成される大気弁、１７は互いに直列に配設された真空弁１５と大気弁１６とからなり、変圧室９を定圧室８と大気とに選択的に切り換え制御する制御弁、１８は弁体１２を真空弁部１２ｂが真空弁座１３に着座する方向に常時付勢する第１弁制御スプリング、１９はバルブボディ４内に形成された大気流入通路、２０はリヤシェル３と入力軸１１との間に取り付けられたブーツ、２１は入力軸１１の第１リターンスプリング、２３は真空通路、２４はバルブボディ４に形成されたキー孔４ａに挿通されてこのバルブボディ４に対する弁プランジャ１０の相対移動を、キー孔４ａの軸方向幅により規定される所定量に規制し、かつバルブボディ４および弁プランジャ１０の各後退限を規定するキー部材、２５は反力手段の一部を構成する間隔部材、２６は反力手段の他部を構成するリアクションディスク、２７は出力軸、２８はパワーピストン５およびバルブボディ４とを非作動位置に戻す第２リターンスプリングである。
【００１５】
次に、特許文献１に記載の負圧倍力装置と異なる、この例の負圧倍力装置１の構成について説明する。
図１および図２に示すように、この例の負圧倍力装置１では、弁体１２が円筒状に形成されてバルブボディ４（具体的には、後述するバルブボディ補助部材３０）に気密にかつ摺動可能に設けられ、かつ大気弁部１２ａと真空弁部１２ｂとこれらを一体移動可能に連結するほぼ円筒状の連結具１２ｃとを有する。
【００１６】
また、バルブボディ４（具体的には、後述するバルブボディ補助部材３０）の内周面と入力軸１１の外周面との間には、従来のような吸音部材は設けられていない。また、この例の負圧倍力装置１は、バルブボディ４の軸方向の内孔４ｂに、筒状の真空弁座部材２９が摺動可能に嵌合されている。そして、前述の真空弁座１３はこの真空弁座部材２９の後端の内周側に設けられている。したがって、真空弁座１３もバルブボディ４に対して相対移動可能となっている。
【００１７】
そして、真空弁座部材２９の前端面２９ａには常時変圧室９の圧力が作用するとともに、真空弁座部材２９の後端面２９ｂに常時定圧室８の圧力（負圧）が作用するようになっている。したがって、負圧倍力装置１の作動時、変圧室９の圧力と定圧室８の圧力とに圧力差が生じると、この圧力差による力が真空弁座部材２９に後方に向けて加えられるようになる。
【００１８】
バルブボディ４の後端部の内周面には段付き円筒状のバルブボディ補助部材３０が方向に移動不能に嵌合固定されている。このバルブボディ補助部材３０の外周面の段部と真空弁座部材２９の後端面２９ｂとの間に第２弁制御スプリング３１が縮設されている。この第２弁制御スプリング３１は真空弁座部材２９を常時前方に付勢していて、図１に示す負圧倍力装置１の非作動時には、真空弁座部材２９はその前端２９ａがバルブボディ４の内周段部に当接することでバルブボディ４に対して停止している。
【００１９】
図２に示すように、弁体１２の大気弁部１２ａがゴム等の弾性材からなる円筒状の大気弁部材１２ｄの前端に設けられる。この大気弁部１２ａは、前方に（つまり、大気弁座１４の方に）突出する円環状の突部から構成されている。また、大気弁部材１２ｄの前端には、大気弁部１２ａより径方向外側に位置して軸方向前方に突出する円環状の外周突部１２ｇが形成されている。この外周突部１２ｇは、大気弁部材１２ｄと連結具１２ｃとの外周側に形成された円環状の室３２と、大気弁１２ａより大気流動方向下流側でかつ連結具１２ｃの内周側に形成された円環状の室３３との間を気密にシールしている。その場合、室３２は常時定圧室８に連通しているとともに、室３３は、常時変圧室９に連通している。そして、大気弁部１２ａの円環状の突部と円環状の外周突部１２ｇとの間に、円環状の凹部１２ｈが形成されている。
【００２０】
一方、大気弁座１４は弁プランジャ１０の後端のフランジ１０ａに設けられている。このフランジ１０ａの外周縁部には、後方にきわめて小さく突出する円環状の突部１０ｂが形成されている。この円環状の突部１０ｂは大気弁部１２ｄの円環状の凹部１２ｈに対向しているとともに、大気弁部１２ａが大気弁座１４に着座した状態では、その一部が円環状の凹部１２ｈ内に進入するようになっている。大気弁部１２ａの円環状の突部、円環状の外周突部１２ｇ、および円環状の突部１０ｂの各根元部は丸くＲ部とされている。また、大気弁部１２ａの円環状の突部および円環状の突部１０ｂは断面が三角形状に形成されているとともに、その頂部が丸くＲ部とされている。
【００２１】
したがって、大気弁１６が開いたとき、開いた大気弁１６を通過した大気は円環状の突部１０ｂに当たり、大気の流れが大気弁部１２ｄの円環状の凹部１２ｈの方へ若干曲げられ、その後更に凹部１２ｈによって軸方向前方へ曲げられる。このようにして、大気弁１６を通過した大気の流動は、円環状の突部１０ｂにより抵抗を受けて若干乱されて、流速を少し低減される。このように大気の流速が若干低減されることで、大気弁１６を通過した大気が径方向の流れからバルブボディ４の軸方向の流れに変化する際に、流動音の発生が抑制される。
【００２２】
また、大気弁部材１２ｄの後端部外周面には円環状のリップ部１２ｅが形成されている。このリップ部１２ｅは、バルブボディ補助部材３０の前端筒状部の内周面３０ａに気密にかつ摺動可能に嵌合されている。したがって、大気弁部材１２ｄおよびバルブボディ補助部材３０の前端部外周に形成されている室３２とバルブボディ補助部材３０の内側の大気流入通路１９とは常時気密に遮断されている。
【００２３】
第１弁制御スプリング１８は、大気弁部材１２ｄの内周段部１２ｆと入力軸１１の外周段部１１ａとの間に縮設されている。したがって、この第１弁制御スプリング１８は大気弁部材１２ｄを常時前方へ、換言すれば真空弁部１２ｂが真空弁座１３に着座する方向に常時付勢している。また、第１リターンスプリング２１は、バルブボディ補助部材３０の内周段部３０ｂと入力軸１１のフランジ部１１ｂとの間に縮設されている。したがって、この第１リターンスプリング２１は入力軸１１を常時後方へ付勢している。
【００２４】
弁体１２の円筒状の連結具１２ｃの内周面でかつ大気弁１６の前方に円環状のフィルタ３５が設けられている。このフィルタ３５は、開いた大気弁１６を通って流入する大気中に含まれる塵等のコンタミを除去するものである。
この例の負圧倍力装置１の他の構成は、前述の特許文献１と実質的に同じである。
【００２５】
このように構成されたこの例の負圧倍力装置１においては、特許文献１に記載の負圧倍力装置１と同様に、ブレーキ操作時入力軸１１が前進すると、弁プランジャ１０が前進する。すると、弁体１２も前進し、真空弁部１２ｂが真空弁座１３に着座して真空弁１５が閉じられるとともに、弁体１２の前進が停止する。更に、引き続き弁プランジャ１０が前進するので、大気弁座１４が大気弁部１２ａから離間し、大気弁１６が開く。
【００２６】
これにより、バルブボディ４内の大気流入通路１９に既に流入している大気が開いた大気弁１６を通って流動して変圧室９内に流入するとともに、バルブボディ４外の大気が大気導入口２０ａ、フィルタ２２を通ってバルブボディ４内の大気流入通路１９内に流入する。大気流入通路１９内に流入した大気も、更に開いた大気弁１６を通って流動して変圧室９内に流入する。このとき、弁プランジャ１０の円環状の突部１０ｂによって大気の流速が若干低減されて、流動音が抑制される。しかし、大気の流動が若干減速されても、円環状の突部１０ｂの高さがきわめて小さいので、応答の遅れは特に問題はなく、実用に供し得る応答性は維持される。特に、大気の流動が円環状の突部１０ｂに対向する円環状の凹部１２ｈによって案内されるので、より良好な応答性が維持される。
【００２７】
変圧室９への大気の流入により、変圧室９と定圧室８との間に圧力差が生じ、この圧力差が所定の大きさになると、パワーピストン５が作動する。これにより、バルブボディ４および出力軸２７がリヤシェル３に対して相対的に前進して負圧倍力装置１が出力する。
【００２８】
バルブボディ４が所定量前進すると、大気弁部１２ａが大気弁座１４に着座し大気弁１６が閉じる。負圧倍力装置１が入力を倍力して出力する中間負荷状態では、真空弁１５および大気弁１６がともに閉じたとき、負圧倍力装置１の出力が入力を所定のサーボ比で倍力した大きさとなり、入出力がバランスした状態となる。
【００２９】
ところで、真空弁座部材２９は本発明の特徴部分ではないが、簡単に説明する。
変圧室９に大気が流入すると、この変圧室９の真空弁座部材２９の前端面２９ａに後方に向けて作用する。このため、真空弁座部材２９の前端面２９ａに作用する変圧室９の圧力と真空弁座部材２９の後端面２９ｂに作用する定圧室８の圧力との圧力差により、真空弁座部材２９を後方に押圧する力がこの真空弁座部材２９に加えられる。この力は変圧室９の圧力が大きくなるにつれて増大する。
【００３０】
そして、真空弁座部材２９を押圧する力が第２弁制御スプリング３２のばね荷重とこのときの弁体１２の第１弁制御スプリング１８のばね荷重との和より大きくなると、真空弁座部材２９が弁体１２の真空弁部１２ｂを押しながらバルブボディ４に対して大気弁部材１２ｄとともに相対的に後方に移動する。この真空弁座部材２９の後方移動により、真空弁座１３が通常時の位置より後方に突出する。したがって、負圧倍力装置１の中間負荷状態では、真空弁１５および大気弁１６がともに閉じた制御弁１７のバランス位置がバルブボディ４に対して後方に相対移動する。これにより、入力軸１１のストロークがバルブボディ４に対する真空弁座部材２９の相対ストローク量だけ短縮される。
【００３１】
また、前述のように制御弁１７のバランス位置がバルブボディ４に対して後方に相対移動することから、リアクションディスク２６と間隔部材２５との間の間隙Ｃが変圧室９の圧力の大きさにしたがって増加する。これにより、この間隙増加に応じたジャンピング量が、負圧倍力装置１の出力を変圧室９の圧力が大きくなるにしたがって増大させる。
この例の負圧倍力装置１の他の作動は、特許文献１に記載の負圧倍力装置と同じである。
【００３２】
このように、この例の負圧倍力装置１によれば、大気弁１６を通過した大気を弁プランジャ１０の円環状の突部１０ｂによって若干乱すことで大気の流動を若干減速するようにしているので、流動音の発生を抑制することができる。円環状の突部１０ｂの高さがきわめて小さいので、大気の流動が若干減速しても、実用に供し得る応答性を維持することができる。特に、大気の流動を円環状の突部１０ｂに対向する円環状の凹部１２ｈによって案内することで、良好な応答性を維持することができる。
その場合、円環状の突部１０ｂはそれほど高精度に設ける必要はなく、高度の寸法管理を不要にできる。したがって、生産性を向上できるとともに、負圧倍力装置１を安価に製造することができる。
【００３３】
なお、前述の例では、バルブボディ４内に筒状の真空弁座部材２９を設けるものとしているが、本発明の負圧倍力装置１では、この真空弁座部材２９は必ずしも必要ではなく、例えば特許文献１に記載されている負圧倍力装置のように省略することもできる。また、前述の例では、真空弁１５と大気弁１６とを軸方向に直列に設けるものとしているが、本発明の負圧倍力装置１では、必ずしも真空弁１５と大気弁１６とを軸方向に直列に設ける必要はない。すなわち、本発明は、例えば従来周知の負圧倍力装置のように真空弁１５と大気弁１６とがバルブボディ４の軸方向と直交する同一面内に設けることもできる。
更に、前述の例では、バルブボディ４内に円筒状のバルブボディ補助部材３０を設けるものとしているが、本発明はこのバルブボディ補助部材３０を省略することもできる。
【００３４】
一方、本発明のブレーキ倍力装置によれば、大気の流動音の発生をより効果的に防止することができる負圧倍力装置１を用いているので、自動車の車室内をより静粛にでき、車室内での乗員の快適性を向上することができる。
【産業上の利用可能性】
【００３５】
本発明に係る負圧倍力装置は、負圧によって入力を所定のサーボ比で倍力して大きな出力を発生する負圧倍力装置に利用可能であり、特に作動時に静粛性が求められる負圧倍力装置に好適に利用可能である。
また、本発明に係るブレーキ倍力装置は、負圧によってペダル踏力を倍力して大きなブレーキ力を発生しつつ、車室内の静粛性が求められる自動車のブレーキ倍力装置に好適に利用可能である。
【図面の簡単な説明】
【００３６】
【図１】本発明に係る負圧倍力装置の実施の形態の例を非作動状態で示す部分断面図である。
【図２】図１の部分拡大断面図である。
【符号の説明】
【００３７】
１…負圧倍力装置、２…フロントシェル、３…リヤシェル、４…バルブボディ、５…パワーピストン、８…定圧室、９…変圧室、１０…弁プランジャ、１０ａ…フランジ、１０ｂ…円環状の突部、１１…入力軸、１２…弁体、１２ａ…大気弁部、１２ｂ…真空弁部、１２ｄ…大気弁部材、１２ｈ…円環状の凹部、１３…真空弁座、１４…大気弁座、１５…真空弁、１６…大気弁
【図１】
2009051228.tif 000003
【図２】
2009051228.tif 000004